(57)【要約】      （修正有）【課題】緩衝機能を有する箱体を形成できる比較的安価な箱用シートを提供する。【解決手段】箱用シートは、前板１、後板２及び一対の側板３、４を有し、四角筒状に組み立てられる周壁構成部６と、前板１及び後板２の上縁からそれぞれ延出し、組み立て状態で互いの先端縁を突き合わせるよう折り曲げられることにより周壁構成部６が形成する筒体の上端を封止する前蓋７及び後蓋８と、側板３、４の上縁からそれぞれ延出し、フランジ１５、１６、内壁板１７、１８及びストッパー１９、２０をそれぞれ有する一対の緩衝体構成部１３、１４とを備える箱用シートであって、前蓋７の先端縁から延出し、組み立て状態で前蓋７の内面側に重ねられる折り返し片２１と、折り返し片２１の先端縁から延出し、組み立て状態で前板１の内面側に重ねられると共に一対の緩衝体構成部１３、１４の内壁板１７、１８間に配置される嵌合板２２とをさらに備える。【選択図】図１
0003203202.tif 000002
【実用新案登録請求の範囲】
【請求項１】
一枚のシート材から形成され、箱形に組み立て可能であり、
前板、後板及び一対の側板を有し、四角筒状に組み立てられる周壁構成部と、
上記前板及び後板の上縁からそれぞれ延出し、組み立て状態で互いの先端縁を突き合わせるよう折り曲げられることにより上記周壁構成部が形成する筒体の上端を封止する前蓋及び後蓋と、
上記側板の上縁からそれぞれ延出する一対の緩衝体構成部と
を備え、
上記一対の緩衝体構成部が、側板の上縁から延出するフランジと、このフランジの先端縁から延出し、組み立て状態で上記側板の内側に間隔を空けて配置される内壁板と、この内壁板の先端縁から延出し、組み立て状態でその先端縁が側板に近接するよう配置されるストッパーとをそれぞれ有する箱用シートであって、
上記前蓋の先端縁から延出し、組み立て状態で前蓋の内面側に重ねられる折り返し片と、
上記折り返し片の先端縁から延出し、組み立て状態で上記前板の内面側に重ねられると共に上記一対の緩衝体構成部の内壁板間に配置される嵌合板と
をさらに備えることを特徴とする箱用シート。
【請求項２】
上記後蓋の先端縁と上記ストッパーの先端縁とが同一直線上に位置する請求項１に記載の箱用シート。
【請求項３】
上記前蓋及び一対のフランジの延出長さが等しく、
上記後蓋が上記一対のフランジの先端縁と同一直線上に形成されるダミー罫線を有する請求項１又は請求項２に記載の箱用シート。
【請求項４】
上記後蓋が上記一対の内壁板の先端縁と同一直線上に形成されるダミー罫線を有する請求項１、請求項２又は請求項３に記載の箱用シート。
【請求項５】
上記嵌合板が上記一対の内壁板の先端縁と同一直線上に形成されるダミー罫線を有する請求項４に記載の箱用シート。
【考案の詳細な説明】
【技術分野】
【０００１】
本考案は、箱用シートに関する。
【背景技術】
【０００２】
段ボールシートのようなシート材から形成される箱体（包装容器）として、側壁の内側に間隔を空けて内壁を配置し、外部からの衝撃を吸収して収容する品物に加わる力を低減する緩衝機能を有するものが使用されている（例えば特開平８−３１０５７８号公報参照）。
【０００３】
上記公報に記載の包装容器は、側壁及び内壁を含む四角筒状の中空側板を形成する二対の側板構成部を有し、一方の対の側板構成部の内壁の間に他方の対の側板構成部を配置することで一方の対の側板構成部を四角筒状に保持し、側板構成部に形成した係止孔に他方の対の側板構成部の内壁の両側に突設された係止突起を嵌合させることで他方の対の側板構成部を四角筒状に保持する構成とされている。
【０００４】
上記公報に記載の包装容器を形成する箱用シートは、上記のような複雑な係止構造を有するため、複雑な形状を型抜きする必要があるので製造速度が制限され、一枚あたりの製造コストが高くなるという不都合がある。
【先行技術文献】
【特許文献】
【０００５】
【特許文献１】特開平８−３１０５７８号公報
【考案の概要】
【考案が解決しようとする課題】
【０００６】
上記不都合に鑑みて、本考案は、緩衝機能を有する箱体を形成できる比較的安価な箱用シートを提供することを課題とする。
【課題を解決するための手段】
【０００７】
上記課題を解決するためになされた考案は、一枚のシート材から形成され、箱形に組み立て可能であり、前板、後板及び一対の側板を有し、四角筒状に組み立てられる周壁構成部と、上記前板及び後板の上縁からそれぞれ延出し、組み立て状態で互いの先端縁を突き合わせるよう折り曲げられることにより上記周壁構成部が形成する筒体の上端を封止する前蓋及び後蓋と、上記側板の上縁からそれぞれ延出する一対の緩衝体構成部とを備え、上記一対の緩衝体構成部が、側板の上縁から延出するフランジと、このフランジの先端縁から延出し、組み立て状態で上記側板の内側に間隔を空けて配置される内壁板と、この内壁板の先端縁から延出し、組み立て状態でその先端縁が側板に近接するよう配置されるストッパーとをそれぞれ有する箱用シートであって、上記前蓋の先端縁から延出し、組み立て状態で前蓋の内面側に重ねられる折り返し片と、上記折り返し片の先端縁から延出し、組み立て状態で上記前板の内面側に重ねられると共に上記一対の緩衝体構成部の内壁板間に配置される嵌合板とをさらに備えることを特徴とする。
【０００８】
当該箱用シートは、一対の側板の上縁から延出する一対の緩衝体構成部の内壁板間に嵌合板を配置することで、緩衝体構成部の組み立て状態を保持することができる。また、当該箱用シートは、前板の上縁から延設される前蓋の先端縁から延出し、組み立て状態で前蓋の内面側に重ねられる折り返し片の先端縁からさらに延出するよう上記嵌合板が配設されることによって、前板と嵌合板との間に３つの折り曲げ箇所が存在するため、シート材の弾性力により嵌合板を緩衝体構成部の間から脱離させるよう作用する力が比較的小さい。このため、当該箱用シートを組み立ててなる箱体の前蓋及び後蓋を閉鎖する前の状態、つまり箱体内に品物を収容するときには、一対の内壁板が緩衝体構成部のシート材の弾性力によって嵌合板を挟み込むことで、嵌合板を前板の内側に保持し、これによって緩衝体構成部の組み立て状態を保持する。また、当該箱用シートを組み立ててなる箱体の前蓋及び後蓋を閉鎖した封函状態においては、折り返し片を前蓋に裏面に折り返すことによって、嵌合板の基端縁を前板の上縁近傍に配置し、シート材の弾性力によって嵌合板の先端縁も前板の内面側に密着させる。このため、当該箱用シートを組み立ててなる箱体は、前蓋及び後蓋を粘着テープ等で固定することで、嵌合板を前板の内面側に固定し、これにより緩衝体構成部の組み立て状態を保持することができる。このように、当該箱用シートは、突起や孔のような複雑な構成を有することなく組み立て状態を保持することができるので、製造時に複雑な抜き型が必要なく、製造ラインの速度を比較的大きくすることができるので比較的安価に製造できる。
【０００９】
上記後蓋の先端縁と上記ストッパーの先端縁とが同一直線上に位置するとよい。このように、上記後蓋の先端縁とストッパーの先端縁とが同一直線上に位置することによって、例えば段ボールシートを製造するコルゲーターに付設されるスリッターによって後蓋の先端縁とストッパーの先端縁とを切断することができるので、後蓋及び緩衝体構成部の成形に抜き型が不要であるため、製造ラインの速度を比較的より大きくすることができる。
【００１０】
上記前蓋及び一対のフランジの延出長さが等しく、上記後蓋が上記一対のフランジの先端縁と同一直線上に形成されるダミー罫線を有するとよい。このように、上記前蓋及び一対のフランジの延出長さが等しく、上記後蓋が上記一対のフランジの先端縁と同一直線上に形成されるダミー罫線を有することによって、前蓋及び折り返し片間の折り曲げを容易にする罫線とフランジ及び内壁板間の折り曲げを容易にする罫線とを例えば段ボールシートを製造するコルゲーターに付設されるスコアラーによって形成することができるので、当該箱用シートの製造コストをより低減できる。
【００１１】
上記後蓋が上記一対の内壁板の先端縁と同一直線上に形成されるダミー罫線を有するとよい。このように、上記後蓋が上記一対の内壁板の先端縁と同一直線上に形成されるダミー罫線を有することによって、内壁板及びストッパー間の折り曲げを容易にする罫線を例えば段ボールシートを製造するコルゲーターに付設されるスコアラーによって形成することができるので、当該箱用シートの製造コストをさらに低減できる。
【００１２】
上記嵌合板が上記一対の内壁板の先端縁と同一直線上に形成されるダミー罫線を有するとよい。このように、上記嵌合板が上記一対の内壁板の先端縁と同一直線上に形成されるダミー罫線を有することによって、前蓋、折り返し片及び嵌合板の延出長さの和が、フランジ及び内壁板の延出長さの和よりも大きい場合に、内壁板及びストッパー間の折り曲げを容易にする罫線を例えば段ボールシートを製造するコルゲーターに付設されるスコアラーによって形成することができるので、当該箱用シートの製造コストをより確実に低減できる。
【考案の効果】
【００１３】
上述のように、本考案の箱用シートは、緩衝機能を有する箱体を形成でき、かつ比較的安価に提要できる。
【図面の簡単な説明】
【００１４】
【図１】本考案の一実施形態の箱用シートを示す模式的裏面図（展開図）である。
【図２】図１の箱用シートを組み立ててなる箱体を封函した後の状態を示す模式的斜視図である。
【図３】図１の箱用シートを組み立ててなる箱体を封函する前の状態を示す模式的斜視図である。
【図４】図１の箱用シートの製造途中の状態を示す模式的裏面図である。
【考案を実施するための形態】
【００１５】
以下、適宜図面を参照しつつ、本考案の実施の形態を詳説する。
【００１６】
図１に示す本考案の一実施形態の箱用シートは、一枚のシート材から形成され、図２に示すように箱形に組み立てることができる。なお、図１において、太い実線はシート材を切断したエッジを示し（破線状に見える部分はミシン目状にシート材を切断した部分である）、細い実線はシート材の裏面側に筋押しして形成される罫線を示す。
【００１７】
当該畳箱用シートを形成するシート材としては、例えば段ボールシート、プラスチックボード、ボール紙等を用いることができ、中でも段ボールシートが好適に用いられる。
【００１８】
上記段ボールシートとしては、一枚の中芯の両側を一対のライナーで挟み込んだものだけでなく、３枚のライナーの間にそれぞれ中芯が挟み込まれたいわゆるダブルフルートであってもよく、中芯の片側にのみライナーが貼着されたいわゆる片面段ボールであってもよい。
【００１９】
当該箱用シートが段ボールシートから形成される場合、中芯の稜線が図１において符号の文字の上下を正しく配置した状態における上下方向に延在するよう配向することが好ましい。
【００２０】
当該箱用シートは、前板１、後板２及び一対の側板３，４（第１側板３及び第２側板４）並びに継ぎしろ５を有し、四角筒状に組み立てられる周壁構成部６と、上記前板１及び後板２の上縁からそれぞれ延出し、組み立て状態で互いの先端縁を突き合わせるよう折り曲げられることにより上記周壁構成部６が形成する筒体の上端を封止する前蓋７及び後蓋８と、前板１及び後板２の下縁からそれぞれ縁出し、組み立て状態で互いの先端縁を突き合わせるよう折り曲げられることにより上記周壁構成部６が形成する筒体の下端を封止する一対の外フラップ９，１０と、一対の側板３，４の下縁から延出し、組み立て状態で一対の外フラップ９，１０の内側に折り重ねられる一対の内フラップ１１，１２と、上記側板３，４の上縁からそれぞれ延出する一対の緩衝体構成部１３，１４とを備える。
【００２１】
上記一対の緩衝体構成部１３，１４は、側板３，４の上縁から延出するフランジ１５，１６と、このフランジ１５，１６の先端縁から延出し、組み立て状態で上記側板３，４の内側に間隔を空けて配置される内壁板１７，１８と、この内壁板１７，１８の先端縁から延出し、組み立て状態でその先端縁が側板３，４に近接するよう配置されるストッパー１９，２０とをそれぞれ有する。
【００２２】
また、当該箱用シートは、上記前蓋７の先端縁から延出し、組み立て状態で前蓋７の内面側に重ねられる折り返し片２１と、この折り返し片２１の先端縁から延出し、組み立て状態で上記前板１の内面側に重ねられると共に上記一対の緩衝体構成部１３，１４の内壁板１７，１８間に配置される嵌合板２２とをさらに備える。
【００２３】
当該箱用シートにおいて、周壁構成部６の第１側板３、前板１、第２側板４、後板２及び継ぎしろ５の相互の境界には、縦罫線Ｌ１ａ，Ｌ１ｂ，Ｌ１ｃ，Ｌ１ｄが形成されている。前板１、後板２、第１側板３及び第２側板４と、外フラップ９，１０及び内フラップ１１，１２との境界には、下罫線Ｌ２ａ，Ｌ２ｂ，Ｌ２ｃ，Ｌ２ｄが形成されている。前板１、後板２、第１側板３及び第２側板４と、前蓋７、後蓋８及び緩衝体構成部１３，１４との境界には、上罫線Ｌ３ａ，Ｌ３ｂ，Ｌ３ｃ，Ｌ３ｄが形成されている。
【００２４】
緩衝体構成部１３，１４において、フランジ１５，１６と内壁板１７，１８との境界には第１緩衝体罫線Ｌ４ａ，Ｌ４ｂが形成されており、内壁板１７，１８とストッパー１９，２０との境界には第２緩衝体罫線Ｌ５ａ，Ｌ５ｂが形成されている。
【００２５】
また、前蓋７と折り返し片２１との境界には、蓋罫線Ｌ６が形成されている。折り返し片２１と嵌合板２２との境界には、断続的にシート材を切断したミシン目とこのミシン目の切断線間を接続する罫線とを有するいわゆるリード罫線からなる逆折り罫線Ｌ７が形成されている。さらに、当該箱用シートは、嵌合板２２にその基端縁（逆折り罫線Ｌ７）に平行な第１ダミー罫線Ｌ８が形成され、後蓋８にその基端縁（上罫線Ｌ３ｂ）に平行な第２ダミー罫線Ｌ９及び第３ダミー罫線Ｌ１０が形成されている。なお、「ダミー罫線」は、当該箱用シートの使用に際して、折り曲げない罫線である。
【００２６】
周壁構成部６は、第１側板３、前板１、第２側板４、後板２及び継ぎしろ５がこの順番に左右方向（符号の文字の上下を正しく配置した状態における左右方向）に連設して形成される。この周壁構成部６は、第１側板３の前板１と反対側の側端部の裏面に継ぎしろ５が固定されることによって無端状に接続される。この継ぎしろ５の第１側板３への貼着は、先ず、第２側板４の裏面側に後板２を折り返すと共に次ぎしろ５の表面に糊を塗布し、次いで、前板１の裏面側に第１側板３を折り返すことによって継ぎしろ５の表面に第１側板３の端部を重ね合わせることで行われる。
【００２７】
当該箱用シートは、通常、このように継ぎしろ５を第１側板３に貼着した状態、つまり前板１と第２側板４との間を折り曲げることなく、前板１及び第２側板４の裏面側に後板２及び第１側板３を折り重ねた折り畳み状態でユーザーに提供される。
【００２８】
当該箱用シートの組み立ては、先ず、周壁構成部６を、前板１及び後板２が互いに対向し、かつ第１側板３及び第２側板４が互いに対向するよう四角筒状に形成する。続いて、内フラップ１１，１２を側板３，４に対して裏面側（周壁構成部６の内側）に９０°折り曲げ、この内フラップ１１，１２の表面側に外フラップ９，１０を折り重ねることによって、周壁構成部６が形成する四角筒状体の下端の開口を封止する底部を形成する。
【００２９】
底部の形成の後、緩衝体構成部１３，１４を断面視「コ」の字状に折り曲げることによって、側板３，４の内側に、その内部に空間を形成する緩衝体を形成する。具体的には、ストッパー１９，２０を内壁板１７，１８に対して裏面側に９０°折り曲げ、内壁板１７，１８をフランジ１５，１６に対して裏面側に９０°折り曲げ、さらにフランジ１５，１６を側板３，４に対して裏面側（周壁構成部６の内側）に９０°折り曲げることによって側板３，４の内側に緩衝体を形成する。つまり、組み立て状態において、緩衝体構成部１３，１４は、内壁板１７，１８が側板３，４の裏面側（当該箱用シートの組み立ててなる箱体の内面側）に側板３，４から間隔を空けて配置され、ストッパー１９，２０が内フラップ１１，１２の裏面側（箱体の内面側）にその先端縁が側板３，４の裏面の端近傍に近接するよう配置される。
【００３０】
当該箱用シートを組み立ててなる箱体を封函した状態で、前蓋７及び後蓋８は、図２に示すように、互いの先端縁が突き合わせられる。このため、前蓋７の上下方向の延出長さと後蓋８の上下方向の延出長さとの合計は、側板３，４の左右方向の長さと略等しい。
【００３１】
当該箱用シートを組み立ててなる箱体を封函したとき、折り返し片２１は、一対の緩衝体構成部１３，１４のフランジ１５，１６の先端縁間に配置される。このため、折り返し片２１は、前蓋７のフランジ１５，１６と重なる両端部を除く中央領域の先端縁から左右方向（図１の符号の文字の天地方向に垂直な方向）に一定の幅で延出する。また、嵌合板２２は、この折り返し片２１から、折り返し片２１と左右方向に等しい一定幅で延出することが好ましい。
【００３２】
当該箱用シートを組み立ててなる箱体の一対の内壁板１７，１８の間に品物を収容した場合に、一対の緩衝体構成部１３，１４から形成される緩衝体は、箱体の外部から側板３，４に加わる衝撃を緩和して、内部に収容した品物に作用する力を低減する。また、当該箱用シートを組み立ててなる箱体は、緩衝体構成部１３，１４から形成される緩衝体の内部空間、つまり側板３，４と内壁板１７，１８との間に別の品物、例えば一対の内壁板１７，１８の間に収容される品物の付属品等を収容することもできる。
【００３３】
当該箱用シートにおいて、第１緩衝体罫線Ｌ４ａ，Ｌ４ｂ、蓋罫線Ｌ６及び第２ダミー罫線Ｌ９は、本実施形態のように、同一直線上に形成されることが好ましい。換言すると、前蓋７の延出長さとフランジ１５，１６の延出長さとは互いに等しく、後蓋８の基端縁から第２ダミー罫線までの距離は、前蓋７及びフランジ１５，１６の延出長さと等しいことが好ましい。これにより、例えば段ボールシートを形成するコルゲーターに付設され、長尺の段ボールシートの長手方向に罫線を形成するスコアラー等によって、下罫線Ｌ２ａ，Ｌ２ｂ，Ｌ２ｃ，Ｌ２ｄ及び上罫線Ｌ３ａ，Ｌ３ｂ，Ｌ３ｃ，Ｌ３ｄと共に、第１緩衝体罫線Ｌ４ａ，Ｌ４ｂ及び蓋罫線Ｌ６を比較的容易に形成することができる。つまり、第２ダミー罫線Ｌ９は、第１緩衝体罫線Ｌ４ａ，Ｌ４ｂ及び蓋罫線Ｌ６を連続して形成する際に、第１緩衝体罫線Ｌ４ａ，Ｌ４ｂ及び蓋罫線Ｌ６の間に不可避的に形成される罫線として形成され得るものである。従って、第２ダミー罫線Ｌ９は、当該箱用シートを一枚毎に型押しする抜き型を用いて第１緩衝体罫線Ｌ４ａ，Ｌ４ｂ及び蓋罫線Ｌ６を製造する場合には形成されないことが好ましい。
【００３４】
また、第１ダミー罫線Ｌ８及び第３ダミー罫線Ｌ１０は、第２緩衝体罫線Ｌ５ａ，Ｌ５ｂと同一直線上に形成されることが好ましい。これにより、例えば段ボールシートを形成するコルゲーターに付設され、長尺の段ボールシートの長手方向に罫線を形成するスコアラー等によって、下罫線Ｌ２ａ，Ｌ２ｂ，Ｌ２ｃ，Ｌ２ｄ及び上罫線Ｌ３ａ，Ｌ３ｂ，Ｌ３ｃ，Ｌ３ｄと共に、第２緩衝体罫線Ｌ５ａ，Ｌ５ｂを比較的容易に形成することができる。つまり、第１ダミー罫線Ｌ８及び第３ダミー罫線Ｌ１０は、第２緩衝体罫線Ｌ５ａ，Ｌ５ｂを連続して形成する際に、第２緩衝体罫線Ｌ５ａ，Ｌ５ｂの間に不可避的に形成される罫線として形成され得るものである。従って、第１ダミー罫線Ｌ８及び第３ダミー罫線Ｌ１０は、第２緩衝体罫線Ｌ５ａ，Ｌ５ｂを当該箱用シート一枚毎に型押しする抜き型を用いて製造する場合には形成されないことが好ましい。
【００３５】
当該箱用シートにおいて、ストッパー１９，２０の先端縁は、後蓋８の先端縁と同一直線上に形成されることが好ましい。換言すると、後蓋８の延出長さと、緩衝体構成部１３，１４の延出長さとは、等しいことが好ましい。これにより、後蓋８の先端縁とストッパー１９，２０の先端縁とを、例えば段ボールシートを形成するコルゲーターに付設され、長尺の段ボールシートを所望の幅に切断するスリッター等によって比較的容易に形成することができる。
【００３６】
当該箱用シートは、図３に示すように箱状に組み立ててから封止する前の状態において、つまり箱体の中に品物を収容するときに、嵌合板２２と前板１との間に、上罫線Ｌ３ａ、蓋罫線Ｌ６及び逆折り罫線Ｌ７の３本の折り曲げ容易な罫線が存在するため、シート材の弾性力が緩和され、一対の内壁板１７，１８の間から脱離させるよう嵌合板２２に作用する力が比較的小さい。このため、当該箱用シートを組み立ててなる箱体に品物を収容するときには、一対の緩衝体構成部１３，１４の弾性力によって内壁板１７，１８が嵌合板２２を挟み込み、摩擦力によって嵌合板２２を一時的に保持することができる。このため、当該箱用シートは、組み立てて状態で内部に品物を収容する作業が比較的容易である。
【００３７】
なお、当該箱用シートにおいて、折り返し片２１は嵌合板２２に対してシート材の表面側に折り曲げられるため、この折り曲げのために形成される逆折り罫線Ｌ７は、シート材の表面側に筋押しして形成される逆罫線とすることもできる。しかしながら、本実施形態のようにミシン目を有するリード罫線とすることによって、シート材の表面側から加工するだけで裏面に筋押しする必要がないので、製造工程が複雑化しない。
【００３８】
また、当該箱用シートを組み立ててなる箱体の前蓋７及び後蓋８を閉鎖した封函状態においては、折り返し片２１を前蓋７の裏面に折り返すことによって、嵌合板２２の基端縁（逆折り罫線Ｌ６）を前板１の上縁近傍に配置し、逆折り罫線Ｌ６のシート材の弾性力によって嵌合板２２の先端縁が前板１の内面側に密着する。このため、当該箱用シートを組み立ててなる箱体は、前蓋７及び後蓋８を粘着テープ等で固定することで、嵌合板２２を前板１の内面に沿うよう固定し、これにより緩衝体構成部１３，１４の組み立て状態を継続的に保持することができる。
【００３９】
嵌合板２２の延出長さの下限としては、前板１の高さの５０％が好ましく、６０％がより好ましい。一方、嵌合板２２の延出長さの上限としては、前板１の高さの９０％が好ましく、８０％がより好ましい。嵌合板２２の延出長さが上記下限に満たない場合、一対の内壁板１７，１８との当接長さが不足して、緩衝体構成部１３，１４の組み立て状態の保持が不確実となるおそれがある。逆に、嵌合板２２の延出長さが上記上限を超える場合、折り返し片２１を前蓋７の裏面に密着させるよう折り返す必要が生じるため、前蓋７を閉鎖する際にシート材の反力が大きくなることで封函が容易でなくなるおそれがある。
【００４０】
＜製造方法＞
当該箱用シートは、長尺のシート材に複数のスコア罫線を形成する工程と、長尺のシート材を所定の幅に切断する工程と、長尺のシート材にクリーズ罫線を形成する工程と、長尺のシート材を所定の長さに切断する工程と、シート材にスロットを形成する工程と、シート材の端部を継ぎしろ５を形成するよう切除する工程と、折り返し片２１及び嵌合板２２を形成するようシート材を型抜きする工程とを備える方法によって製造することができる。
【００４１】
（スコア罫線形成工程）
上記スコア罫線形成工程では、スコアラーを用いて、長尺のシート材に、下罫線Ｌ２ａ，Ｌ２ｂ，Ｌ２ｃ，Ｌ２ｄを含む連続したスコア罫線と、上罫線Ｌ３ａ，Ｌ３ｂ，Ｌ３ｃ，Ｌ３ｄを含む連続したスコア罫線と、第１緩衝体罫線Ｌ４ａ，Ｌ４ｂ、蓋罫線Ｌ６及び第２ダミー罫線Ｌ９を含む連続スコア罫線と、第２緩衝体罫線Ｌ５ａ，Ｌ５ｂ、第１ダミー罫線Ｌ８及び第３ダミー罫線Ｌ１０を含む連続したスコア罫線とを形成する。
【００４２】
（幅切断工程）
上記幅切断工程では、例えばスリッターを用いて、後蓋８の先端縁及び緩衝体構成部１３，１４の先端縁と、外フラップ９，１０の先端縁及び内フラップ１１，１２の先端縁との間隔と等しい幅となるよう、長尺のシート材を切り分ける。
【００４３】
（長さ切断工程）
長さ切断工程では、長尺のシート材を一定の長さに切りそろえる。
【００４４】
（クリーズ罫線形成工程）
クリーズ罫線形成工程では、例えばクリーザーを用いて、縦罫線Ｌ１ａ，Ｌ１ｂ，Ｌ１ｃ，Ｌ１ｄを形成する。
【００４５】
（スロット形成工程）
スロット形成工程では、例えばスロッターを用いて、外フラップ９，１０及び内フラップ１１，１２の間、並びに前蓋７、後蓋８及び緩衝体構成部１３，１４の間を分離するスロットを形成する。
【００４６】
（切除工程）
切除工程では、シート材の長手方向（当該箱用シートにおける左右方向）一端側を、後蓋８の側縁、継ぎしろ５の側縁及び先端縁、並びに外フラップ１０の側縁に沿って切断する。この状態で、シート材は、図４に示すように、いわゆるＡ式の箱用シートと同様の形状を有する。つまり、この状態までは、広く普及しており、製造能力が高いＡ式箱用の製造ラインを使用して成形できる。
【００４７】
（型抜工程）
型抜き工程では、抜き型を用いて、前蓋７の先端縁の両端部、折り返し片２１の両側縁並びに嵌合板２２の両側縁及び先端縁を形成すると共に、逆折り罫線Ｌ７のミシン目状の複数の切り込み及びこの複数の切り込み間を接続する罫線を形成する。
【００４８】
当該箱用シートは、以上のように、Ａ式箱用の製造ラインに、形状が比較的簡素な抜き型を用いる型抜き工程を加えただけであるので、比較的安価に製造することができる。なお、上記各製造工程は、複数の工程を同時に行ったり、その順序を入れ替えたりしてもよい。具体的には、段ボール箱用シートの製造設備として広く普及しているスコア罫線形成工程と幅切断工程とを同時に行う装置や、クリーズ罫線形成工程とスロット形成工程とを同時に行う装置を用いることができる。また、切除工程と型抜き工程とを１つの抜き型を用いて行ってもよい。
【００４９】
＜利点＞
以上のように、当該箱用シートは、前蓋７の先端縁から連設される折り返し片２１及び嵌合板２２を有し、この嵌合板２２によって一対の緩衝体構成部１３，１４を組み立て状態に保持するので、突起や孔のような複雑な構成が必要なく、製造ラインの速度を比較的大きくして比較的安価に製造できる。
【００５０】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００５１】
当該箱用シートにおいて、ダミー罫線を省略又は追加してもよい。また、当該箱用シートにおいて、後蓋とストッパーの先端縁とが同一線上になくてもよい。つまり、後蓋の周壁構成部からの延出長さと緩衝体形成部の周壁構成部からの延出長さとが異なってもよい。また、前蓋の延出長さとフランジとの延出長さが異なってもよい。
【産業上の利用可能性】
【００５２】
本考案の箱用シートは、商品発送用の包装箱として、特に好適に利用できる。
【符号の説明】
【００５３】
１  前板
２  後板
３，４  側板
５  継ぎしろ
６  周壁構成部
７  前蓋
８  後蓋
９，１０  外フラップ
１１，１２  内フラップ
１３，１４  緩衝体構成部
１５，１６  フランジ
１７，１８  内壁板
１９，２０  ストッパー
２１  折り返し片
２２  嵌合板
Ｌ１ａ，Ｌ１ｂ，Ｌ１ｃ，Ｌ１ｄ  縦罫線
Ｌ２ａ，Ｌ２ｂ，Ｌ２ｃ，Ｌ２ｄ  下罫線
Ｌ３ａ，Ｌ３ｂ，Ｌ３ｃ，Ｌ３ｄ  上罫線
Ｌ４ａ，Ｌ４ｂ  第１緩衝体罫線
Ｌ５ａ，Ｌ５ｂ  第２緩衝体罫線
Ｌ６  蓋罫線
Ｌ７  逆折り罫線
Ｌ８  第１ダミー罫線
Ｌ９  第２ダミー罫線
Ｌ１０  第３ダミー罫線
【図１】
0003203202.tif 000003
【図２】
0003203202.tif 000004
【図３】
0003203202.tif 000005
【図４】
0003203202.tif 000006